(57)【要約】【課題】プレイヤーが競技を始める前でも容易にホールの勾配をイメージすることができ、かつ競技中において携帯して使用し易く、しかも広告媒体としても有効に活用できるゴルフコースガイドを提供する。【解決手段】ホールの等高線に沿って高い所から低い所へ徐々に色を濃く画成して勾配を表現し、そこに距離や狙い所、ホールの特徴、ティーグラウンドからの写真等を掲載した上で、余白を利用して広告掲載も可能な情報欄を設定する。さらに前記の内容を記載した９ホール分に表紙となる部分を加え１セットとし、１枚の横長の用紙の表裏にそれぞれ１セットずつ計１８ホール分を設定し、蛇腹に折りたたんでコンパクトに形成する。【選択図】　　図１
2004024794.tif 000002
【特許請求の範囲】
【請求項１】
ゴルフコースの各ホールのバンカーや池、グリーンなどの配置といったホール形状に加えて、高い所から低い所へ徐々に色を濃く画成することで地形の勾配を表現したものに、狙い所の方向と距離を矢印と数字で表示することを特徴とするゴルフコースガイド。
【請求項２】
各ホールの第１打を打つためのティーグラウンドから第１打を打つ方向側を見た写真に、距離を数字で、狙い所と玉筋を破線と丸で記載したものを請求項１に掲載し、さらにゴルフ場からのお知らせや広告が記載可能である情報欄を設定することを特徴とするゴルフコースガイド。
【請求項３】
請求項１と請求項２を記載した９ホール分に表紙となる部分を加えて１つのセットとし、１枚の横長の用紙の表側面と裏側面それぞれに画成して印刷し、これを蛇腹に折りたたむことで手のひらにのる大きさで携帯できることを特徴とするコンパクトなゴルフコースガイド。
【発明の詳細な説明】
【０００１】
【発明の属する技術分野】
本発明は、ゴルフ競技を円滑に進行するためのコースの特徴を記載したゴルフコースガイドに関するものである。
【０００２】
【従来の技術】
一般に、各ホールの形状や勾配を平淡に表現したものにグリーンまでの距離を数字で、ホールの特徴や狙い所を文章で書き込んだものや、１枚のカードに１８ホール分を印刷したものを折り返しながら使用している。
【０００３】
【発明が解決しようとする課題】
従来のゴルフコースガイドは、ホールの形状や勾配の表現が平淡に画成されているため、プレイヤーが競技を始める前は実際のホールの勾配をイメージすることが難しかった。また、ホールが変わるごとに折り返さなければならず、必要なホールを探し出すのが面倒で、競技中に使用し難くなってしまう難点があった。
【０００４】
従って、本発明の目的は、プレイヤーが競技を始める前でも容易にホールの勾配をイメージすることができて携帯し易く、かつ競技中に容易に必要なホールを探し出して使用でき、さらに情報欄を設定することで競技中に生じる待ち時間のイライラを解消し、しかも広告媒体としても有効に活用できるゴルフコースガイドを提供することにある。
【０００５】
【課題を解決するための手段】
前記目的を達成するため、本発明に係るゴルフコースガイドは、等高線に沿って高い所から低い所へ徐々に色を濃く画成することでホールの地形の勾配を表現し、そこに距離や狙い所、ホールの特徴、ティーグラウンドからの写真を掲載した上で、余白を利用して広告掲載も可能な情報欄を設定ことを特徴とする。
【０００６】
さらに、多くのゴルフ場で使用されているスコアカードの折りたたんだサイズが長辺１３０ｍｍ、短辺９０ｍｍ前後が多いため、本発明はこれ以下のサイズを１つのホール分のサイズに設定し、前記の内容を記載した９ホール分に表紙となる部分を加えて、１枚の横長の用紙の表裏にそれぞれ設定して蛇腹に折りたたむことでコンパクトに形成できることを特徴とする。
【０００７】
【発明の実施の形態】
次に、本発明に係るゴルフコースガイドの実施の形態を、添付図面を参照しながら以下に説明する。
【０００８】
図１ないし図４は、本発明に係るゴルフコースガイドの一実施例を示すものであって、図１はゴルフコースガイドのホール情報記載の概略平面図、図２はゴルフコースガイドの表側面の概略平面図、図３はゴルフコースガイドの裏側面の概略平面図、図４は前記ゴルフコースガイドを蛇腹に折りたたんだ状態を示す概略斜視図である。
【０００９】
本発明に係るゴルフコースガイドは、図１に示すように、等高線１に沿って高い所から低い所へ徐々に色を濃く画成して、そこにバンカーや池、ティーグラウンド、グリーンなど、そのホールごとの情報を配置し、ティーグラウンドからの方向と狙い所、距離を矢印２で表現し併せて具体的な値を数字で記載し、同様にグリーンの中心からの距離も記載することによりグリーンへのアプローチの参考にもなる。
【００１０】
そして、ホール番号や距離、芝目の方向と強さを矢印で記載したグリーン拡大図３、ホールの特徴記入欄４、ホールの断面図５、さらに第１打の狙い所と玉筋を記載したティーグラウンドから見た写真を写真掲載欄６に配置することで、ホールの地形がよりイメージし易くなり、円滑な競技の進行やゴルフコースの攻略に大きく役立つものとなる。
【００１１】
また、余白を利用して、ゴルフ場からのお知らせや広告が記載可能な情報記入欄７を設けることで広告媒体としての機能も持たせることができる。
【００１２】
前記の内容を記載した１０番ホールから１８番ホールの９ホール分と表紙部分を、図２に示すように、横長の用紙の表側面右端に表紙部８を設定し、左端に向かって順に１０番ホールから１８番ホールまでを配置し、同じ用紙の裏側面は、図３に示すように、左端にローカル・ルール等を掲載することができる裏表紙部９を設定し、右端に向かって順に１番ホールから９番ホールまでを配置する。
【００１３】
次に、この表裏合わせて１８ホール分を配置した横長の用紙を、図２のように表側面にして、山折り線１０と谷折り線１１に沿って折り曲げると、図４で示すように、蛇腹に折りたたんでコンパクトに形成することができ、必要なホール情報を探し出すのも、携帯するのも容易になり、使い勝手が極めて良好となる。
【００１４】
【発明の効果】
以上に述べたように、本発明に係るゴルフコースガイドは、ホールの勾配を高い所から低い所へ徐々に色を濃く画成して、そこに狙い所の方向と距離を矢印と数字で表示し、加えて、芝目の方向と強さを矢印にて表示したグリーンの拡大図と、ティーグラウンドからの第１打の狙い所と玉筋、距離を記載した写真を掲載した上で、余白を利用してゴルフ場からのお知らせや広告が記載可能な情報欄を設定した１８ホール分を１枚の横長の用紙の表裏それぞれに配置して、これを蛇腹に折りたたむことでコンパクトに携帯でき、競技中でも容易に必要なホールを探し出して情報を得ることができる。さらに情報欄を設けることで競技中に生じる待ち時間のイライラを解消し、しかも広告媒体としても有効に機能することができる。
【図面の簡単な説明】
【図１】本発明に係るゴルフコースガイドのホール情報記載の一実施例を示した概略平面図である。
【図２】本発明に係るゴルフコースガイドの表側面を示した概略図面である。
【図３】本発明に係るゴルフコースガイドの裏側面を示した概略図面である。
【図４】図２および図３に示すゴルフコースガイドを蛇腹に折りたたんだ状態を示した概略斜視図である。
【符号の説明】
１　等高線
２　矢印
３　グリーン拡大図
４　ホールの特徴記入欄
５　ホールの断面図
６　写真掲載欄
７　情報記入欄
８　表紙部
９　裏表紙部
１０　山折り線
１１　谷折り線
【図１】
2004024794.tif 000003
【図２】
2004024794.tif 000004
【図３】
2004024794.tif 000005
【図４】
2004024794.tif 000006